(57)【要約】【課題】使用者の大きな負担となっている保持機構が解除される位置まで電動で洗浄槽を押し出し、使用者の負担を軽減して作業性を向上させることを目的とする。【解決手段】前面に開口部を有する本体と、本体内部に出し入れ可能に収容される洗浄槽と、洗浄槽を保持する保持機構と、保持機構の保持が解除される位置まで洗浄槽を電気的動力で押し出すスライド装置と、スライド装置の電源供給を制御する制御装置とを備え、洗浄槽正面側にあるドア部には、洗浄槽を引き出すための手掛け部と手掛け部背後側に凹状の空間を設け、凹状の空間内には回動自在な第１方向に付勢された操作レバーが設置され、操作レバーは手掛け部に手を掛ける操作時に、付勢方向と反対の第２方向に回動し、制御装置は操作レバーの第２方向への回動操作により、スライド装置の通電を開始し、洗浄槽を前方へ押し出すように動作させるものである。【選択図】図１
2015128514.tif 000002
【特許請求の範囲】
【請求項１】
前面に開口部を有する本体と、
該本体の内部に前記開口部を通して出し入れ可能に収容される洗浄槽と、
該洗浄槽を本体内に保持する保持機構と、
前記保持機構の保持が解除される位置まで前記洗浄槽を前記本体から電気的動力で前方へ押し出すスライド装置と、
該スライド装置の電源供給を制御する制御装置と、を備え、
前記洗浄槽の正面側にあるドア部には、前記洗浄槽を引き出すための手掛け部と、この手掛け部の背後側に手の挿入を許容する凹状の空間とをそれぞれ設け、
前記凹状の空間内には、前記手掛け部の背後側に位置して回動自在な第１方向に付勢された操作レバーが設置され、当該操作レバーは前記手掛け部に手を掛ける操作時に、前記付勢方向と反対の第２方向に押されて回動し、
前記制御装置は、前記操作レバーの前記第２方向への回動操作により、前記スライド装置の通電を開始し、前記洗浄槽を前方へ押し出すように動作させることを特徴とする食器洗浄機。
【請求項２】
前記手掛け部の背後側は、前記操作レバーで覆われており、前記操作レバーを前記第２方向へ回動操作したときに手を掛けるための空間が出現することを特徴とする請求項１に記載の食器洗浄機。
【請求項３】
前記操作レバーは、該操作レバーの回動操作に伴って回転する回転軸を有し、該回転軸の延長上には、前記凹状の空間の外に設けられ、前記スライド装置を動作させるための信号を発信するスイッチをＯＮ、ＯＦＦさせるためのスイッチ板を有し、前記スイッチ板は、前記操作レバーの操作をしないときは前記スイッチをＯＮさせ、前記操作レバーを回動操作したときは前記スイッチをＯＦＦさせることを特徴とする請求項１あるいは請求項２に記載の食器洗浄機。
【請求項４】
前記制御装置は、前記操作レバーの回動操作により前記スイッチをＯＦＦさせたときに、前記スライド装置の通電を開始し前記洗浄槽を前記本体から前方に押し出すように動作させることを特徴とする請求項４に記載の食器洗浄機。
【請求項５】
前記操作レバーの前記回転軸は、前記手掛け部の前記凹状の空間の側面壁に設けられた穴部を通して、前記操作レバーと前記スイッチ板とを連結しており、前記スイッチ板が連結されている方の前記穴部の手前には、前記穴部からの水の浸入を防止するための水浸入防止板が設けられていることを特徴とする請求項３あるいは請求項４に記載の食器洗浄機。
【発明の詳細な説明】
【技術分野】
【０００１】
本発明は、食器洗浄機に関し、特に洗浄槽を本体より引き出して食器を収納する際の引き出し力を低減したものに関する。
【背景技術】
【０００２】
洗浄槽を水平に引き出す方式の食器洗浄機は、洗浄中に洗浄槽が出てこないように保持できる荷重を掛ける保持機構を備えており、洗浄が完了した後、洗浄槽を引き出して洗浄槽内に収納された食器類を取り出すときに、各種部品を支持している洗浄槽の重さと食器類を足した重さと、さらに前述の保持機構に抗う力を足した力で洗浄槽を引き出さなければならない。
【０００３】
保持機構の荷重は、前述のように洗浄中に洗浄槽が出てこないように保持する力がかかっている。洗浄中の洗浄槽の重さは、各種部品を支持している洗浄槽の重さと食器類を足した重さと洗浄水を足した重さで、十数ｋｇとなるため、保持機構を解除する荷重はそれ以上の荷重となるので、洗浄槽を引き出すときに、この保持機構の解除が使用者、特に女性と年配の方の大きな負担となっている。
そのため、洗浄槽を自動で引き出したり、押し込んだりするものが提案されている（特許文献１参照）。
【０００４】
特許文献１に記載の食器洗浄機は、操作スイッチを操作すると駆動モーターが一定速度で回転し、駆動モーターの回転軸に取付けられたピニオンギアと、本体側に設けられたラックギアが噛み合って洗浄槽が一定速度で押し出され、保持機構を解除しながら食器が収納可能となる位置まで自動で引き出される。
【０００５】
押し出された後、食器を収納して操作スイッチを操作すると駆動モーターが一定速度で回転し、保持機構の荷重が掛かり、洗浄槽が本体内に完全に収容されるまで自動で押し込まれるようになっていて、使用者の負担を軽減させている。
【先行技術文献】
【特許文献】
【０００６】
【特許文献１】特開２００２−３４５７１２号公報（第２頁、図１）
【発明の概要】
【発明が解決しようとする課題】
【０００７】
しかしながら従来の食器洗浄機では、洗浄槽の引き出しあるいは押し込み可能な全範囲を動作させるため、ラックギアが長くなり、ギアの噛み込みあるいはピニオンギアとラックギアの破損等が発生しギアが動作しなくなり、食器洗浄機の信頼性が低下するという問題があった。
【０００８】
また、洗浄槽の引き出しあるいは押し込み可能な全範囲を動作させるため、食器を追加で入れたいときに必要な分だけ洗浄槽を引き出したいと思っても途中で止めることができず、使用者の使い勝手が悪くなるという問題があった。
【０００９】
本発明は、以上のような課題を解決するためになされたもので、手掛け部に手を掛けるときに操作レバーが押され、使用者の大きな負担となっている保持機構が解除される位置まで電動で洗浄槽を押し出すことで使用者の負担を軽減して使い勝手を向上させるとともに、食器洗浄機の信頼性を向上させることを目的とする。
【課題を解決するための手段】
【００１０】
課題を解決する本発明に係る食器洗浄機は、前面に開口部を有する本体と、本体の内部に開口部を通して出し入れ可能に収容される洗浄槽と、洗浄槽を本体内に保持する保持機構と、保持機構の保持が解除される位置まで洗浄槽を本体から電気的動力で前方へ押し出すスライド装置と、スライド装置の電源供給を制御する制御装置と、を備え、洗浄槽の正面側にあるドア部には、洗浄槽を引き出すための手掛け部と、この手掛け部の背後側に手の挿入を許容する凹状の空間とをそれぞれ設け、凹状の空間内には、手掛け部の背後側に位置して回動自在な第１方向に付勢された操作レバーが設置され、操作レバーは手掛け部に手を掛ける操作時に、付勢方向と反対の第２方向に押されて回動し、制御装置は、操作レバーの第２方向への回動操作により、スライド装置の通電を開始し、洗浄槽を前方へ押し出すように動作させるものである。
【発明の効果】
【００１１】
本発明に係る食器洗浄機によれば、手掛け部のレバーを操作することで、保持機構の保持が解除される位置まで洗浄槽を本体から電動で前方へ押し出すようにしたので、使用者が、大きな負担となっている保持機構の保持の解除をすることがなく、そのまま手掛け部を引いて洗浄槽を食器収納が可能な位置まで引き出すことができるので、使用者の負担が軽減され作業性を向上できる。
【図面の簡単な説明】
【００１２】
【図１】本発明の実施の形態１に係る食器洗浄機の概略構成を示す右側方から見た断面図である。
【図２】本発明の実施の形態１に係る食器洗浄機の正面図である。
【図３】（ａ）本発明の実施の形態１に係る食器洗浄機のスライド装置の一構成例で、スライドシャフトを押し出す前の状態図、（ｂ）本発明の実施の形態１に係る食器洗浄機のスライド装置の一構成例で、スライドシャフトを押し出した後の状態図である。
【図４】（ａ）本発明の実施の形態１に係る食器洗浄機の手掛け部のレバーを操作しないときの要部断面図、（ｂ）本発明の実施の形態１に係る食器洗浄機の手掛け部のレバーを操作したときの要部断面図である。
【図５】（ａ）本発明の実施の形態１に係る食器洗浄機のレバー周辺の要部斜視図、（ｂ）本発明の実施の形態１に係る食器洗浄機の手掛け部内側で食器洗浄機の正面側から見たレバーの要部正面図である。
【発明を実施するための形態】
【００１３】
実施の形態１．
（全体の構成）
図１は、本発明の実施の形態１に係る食器洗浄機の概略構成を示す右側方から見た断面図、図２は本発明の実施の形態１に係る食器洗浄機の正面図である。図１と図２により、本発明の実施の形態１に係る食器洗浄機の概略全体構成を説明する。
【００１４】
図１に示すように、本実施の形態１に係る食器洗浄機１は、少なくとも、食器洗浄機１の外郭となる前面が開口した筐体２と、食器かご６に載置された食器類９１を収納する洗浄槽３（上面が開放している箱体）と、洗浄槽３の上面に設けられており洗浄槽３の開口部を開閉するふた体４と、洗浄槽３の前方に取り付けられ筐体２内部に納められている洗浄槽３を取り出す際に開閉するドア部５とで構成されている。
【００１５】
ドア部５と洗浄槽３の正面側壁との間の空間には食器洗浄機１の制御を司る制御装置９が設けられている。また、この制御装置９は後述するスライド装置２０の通電開始、停止の制御も行う。
【００１６】
筐体２の内部には給水弁１０が設けられている。給水弁１０は、水道水を洗浄槽３に供給するためのもので、後述する洗浄工程において洗浄用水、すすぎ工程においてすすぎ用水を洗浄槽３に供給する。
【００１７】
洗浄槽３は、図１に示されるように、底面部の少なくとも一部が鉛直下方向に突き出した凹部３ａをもつ略箱形状をしている。洗浄部３の一部が鉛直下方向に突き出した凹部３ａのいずれかの側面あるいは底面には、洗浄槽３内に貯留される洗浄用水の水位を検知する水位検知装置１１と、洗浄用水の温度を検知する水温検知装置１７と、洗浄用水を加温する湯沸しヒーター１２と、洗浄用水を加圧可能な加圧ポンプ１３が取り付けられている。
【００１８】
加圧ポンプ１３は、洗浄槽３の外部に設けられており、加圧ポンプ１３によって加圧された洗浄用水は、配管１３ａを通って噴射ノズル１４に送られ、食器類９１に向けて噴射され食器が洗浄される。
【００１９】
排水ポンプ１６は、加圧ポンプ１３と同様に洗浄槽３の外部に設けられており、洗浄槽３内に貯留されている洗浄用水を排水するもので、排水ポンプ１６は洗浄槽３の凹部３ａと排水配管１６ａで連通している。
【００２０】
また、洗浄槽３の後方には、乾燥用の空気を洗浄槽３に供給するための乾燥用送風機２２、その空気を加熱して温風にするための乾燥用ヒーター２３がそれぞれ取付けられている。
【００２１】
図２に示すように、食器洗浄機１の正面にはドア部５が設けられている。ドア部５は操作パネル１５を有し、操作パネル１５には操作部７が設けられている。操作部７は、使用者の操作指示入力を受け付け、これに対応した操作信号を制御装置９に出力するためのもので、操作部７には、食器洗浄機１の電源を入れるための電源スイッチ８ａと、食器洗浄機１の運転をスタートしたり一時停止したりする運転スイッチ８ｂが設けられている。
【００２２】
ふた体４は筐体２の内面上部に取り付けられている。ふた体４には、図示しないリンク機構の一端が取り付けられていて、このリンク機構のもう一方の端は筐体２の内面上部に取り付けられており、このリンク機構により、洗浄槽３が引き出されるときにふた体４は持ち上がり、洗浄槽３を開放することが可能となっている。
【００２３】
これにより、洗浄槽３が引き出されるときに、洗浄槽３と一緒に引き出されないようになっている。一方で、洗浄槽３が押し込まれたときには、このリンク機構によってふた体４が下がり洗浄槽３を閉塞することが可能となっている。
【００２４】
洗浄槽３は、筐体２に設けられた固定レール２１と洗浄槽３に設けた可動レール（図示せず）により、引き出すことで前方に移動させることが可能である。また、筐体２には洗浄槽３が必要なとき以外は前方へ移動しないよう、洗浄槽３を筐体２内部に保持するための保持機構１８が設けられている。
【００２５】
洗浄槽３を筐体２の内部方向に所定の保持位置まで押し込むと、保持機構１８により所定の位置に保持される。このとき保持機構１８は、バネ１９によって洗浄槽３が引き出し方向とは反対の力で付勢されるようになり、洗浄槽３の保持が可能となる。
【００２６】
スライド装置２０は、図示しない取付けのための部材を介して洗浄槽３の下方に取り付けられており、洗浄槽３を引き出すための操作が行われると、制御装置９がスライド装置２０に通電の開始を指示し、スライド装置２０がその指示に従って洗浄槽３を電動で前方にスライドさせるものである。スライド装置２０の構成と動作については、以下図３により説明する。
【００２７】
図３（ａ）は本発明の実施の形態１に係る食器洗浄機のスライド装置の一構成例で、スライドシャフトを押し出す前の状態図、図（ｂ）は本発明の実施の形態１に係る食器洗浄機のスライド装置の一構成例で、スライドシャフトを押し出した後の状態図である。
【００２８】
スライド装置２０は、ラックギアとピニオンギアを利用した伝達動力手段を用いた機構となっていて、ラックギア部５３ａを有するスライドシャフト５３と、モーター５１の回転軸に装着されたピニオンギア５２で構成された電気的動力である。
【００２９】
スライド装置２０の動作は、洗浄槽３を引き出すための操作が行われると、制御装置９がスライド装置２０に通電の開始を指示し、モーター５１が回転する。そのモーター５１の回転に合わせてピニオンギア５２に動力が伝達され、スライドシャフト５３に設けられたラックギア部５３ａに動力が伝達されスライドシャフト５３が押し出されて図３（ａ）の状態から図３（ｂ）の状態となる。
【００３０】
スライドシャフト５３は、洗浄槽３が筐体２の中に収容されている状態で、その先端部５３ｂが図１に示す筐体２の背面２ａと接触するか、あるいは少しの空間が空いた位置になるようにスライド装置２０が取付けられている。
【００３１】
洗浄槽３を引き出すための操作が行われたときは、その位置からスライドシャフト５３が押し出されるので、直ぐに筐体２の背面２ａを押すことになる。筐体２は固定されているので移動しないため、その力で逆に洗浄槽３が前方に押し出されることになる。
【００３２】
スライドシャフト５３は、洗浄槽３を筐体２内の所定の位置に保持する保持機構１８の保持を解除する位置まで押し出されるので、それにより洗浄槽３が保持を解除する位置まで押し出され、使用者は保持機構１８の保持を解除する力を必要とせず、洗浄槽３を食器が収納可能な位置まで容易に引き出すことができる。
【００３３】
スライドシャフト５３は保持機構１８の保持を解除する位置まで押し出された後、モーター５１が逆に回転し、図３（ｂ）の状態である押し出し動作を開始する前の位置まで戻るようになっている。
【００３４】
なお、本発明の実施の形態１では、単純にラックギアとピニオンギアを利用した伝達動力手段を用いた機構としたが、これに限定されるものではなくスライドシャフト５３を押し出す機構であればよいので、ギアの組み合わせ等は適宜選択可能であり、カム機構やリニア機構等を用いても同様にスライドシャフト５３を押し出す機構を構成し得る。
【００３５】
次に、洗浄槽３を引き出す操作をするための、操作レバー周辺の構造を図４、図５により説明する。
図４（ａ）は本発明の実施の形態１に係る食器洗浄機の手掛け部のレバーを操作しないときの要部断面図、図４（ｂ）は本発明の実施の形態１に係る食器洗浄機の手掛け部のレバーを操作したときの要部断面図、図５（ａ）は本発明の実施の形態１に係る食器洗浄機のレバー周辺の要部斜視図、図５（ｂ）は本発明の実施の形態１に係る食器洗浄機の手掛け部内側で食器洗浄機の正面側から見たレバーの要部正面図である。
【００３６】
図２に示すように、操作パネル１５の中央には正面側に洗浄槽３を引き出す際に手を掛けるための手掛け部６１が設けられている。正面から見て手掛け部６１の奥側には、操作パネル１５に設けられた凹状の空間７０が設けられており、操作レバー６２が取り付けられている。
【００３７】
操作レバー６２は、回転軸６３を有し、図５（ｂ）に示す操作パネル１５の凹状の空間７０の側壁７１、７２に、回転軸６３で回動自在に支持されており、操作しない状態ではバネ６７によって、図４（ａ）に示すように回転軸６３を中心に操作レバー６２が常に下方（第１方向）に来るよう付勢されている。
【００３８】
操作レバー６２には、回転軸６３に取付けられ、側壁７１で操作パネル１５に設けられた凹状の空間と区分けされた空間に配置されたスイッチ板６８が設けられている。このスイッチ板６８は、側壁７１で操作パネル１５に設けられた凹状の空間７０と区分けされた空間に取り付けられた操作スイッチ６５を、操作レバー６２の回動に連動してＯＮ、ＯＦＦさせるためのものである。
【００３９】
操作スイッチ６５は、操作しない状態のときに常にＯＮの状態となっている。ＯＮの状態のときには、操作レバー６２を下方（第１方向）に付勢しているバネ６７の付勢力である約１．５Ｎの弱い力が、スイッチ板６８により操作スイッチ６５をＯＮするように掛かっている。
【００４０】
バネ６７の付勢力に抗して、回転軸６３を中心に操作レバー６２の下面６２ａを手で上方（第２方向）へ押すように回動させると、スイッチ板６８が操作スイッチ６５から離れ、操作スイッチ６５がＯＦＦの状態となる。
【００４１】
この操作スイッチ６５のＯＦＦが、制御装置９が洗浄槽３を自動で押し出す指示を出すときのトリガーとなっている。このように操作レバー６２を操作方向である上方（第２方向）に回動させると操作スイッチ６５がＯＦＦとなるので、必要以上に強い力で操作レバーを握られるようなことがあっても、操作スイッチ６５に不要に高い力が加わらないようになっており、操作スイッチ６５の故障が抑制できる構成となっている。
【００４２】
操作レバー６２の操作方向である上方（第２方向）への回動動作は、操作パネル１５に設けられた凹状の空間７０の上面内側７３によって、それ以上回動しないように規制されている。
【００４３】
前述した通り、図４（ａ）に示すように、操作しない状態のときは回転軸６３を中心に操作レバー６２が常に下方（第１方向）に来るよう付勢されている。このとき、操作レバー６２のレバー先端部６２ｂと手掛け部６１の先端部６１ａがほぼ同じ高さとなっていて、手掛け部６１の背後側は操作レバー６２によって覆われている。
【００４４】
これにより、操作レバー６２は正面に露出しないので意匠性を損なわないようになっている。また、引き出し操作をするための手先が入る空間ができていない状態となっている。
【００４５】
この状態から、操作レバー６２の下面６２ａを手で上方（第２方向）へ押すように回動させると、空間６４が出現して手掛け部６１に手が掛けられるようになるので、操作から引き出しまでの動作がスムーズにでき、使用者の使い勝手がよい。
【００４６】
食器洗浄機１がキッチンで使用される製品であるため、操作レバー６２は水で濡れた手で操作されることが想定される。前述のように、操作レバー６２と操作スイッチ６５をＯＮ、ＯＦＦするためのスイッチ板６８とは回転軸６３で連結されていて、回転軸６３は側壁７１に設けられた、回転軸６３が回転可能な図示しない穴を通過している。
【００４７】
そのため、その穴を水が通過して電気部品である操作スイッチ６５に掛かり、不具合を生じる可能性がある。そこで操作レバー６２の側壁７１側に、水侵入防止板６６を設けて使用者が水に濡れた手で操作レバー６２を操作したり、お手入れしたりして回転軸６３に水が付き回転軸６３からスイッチ板６８に水が伝わったとしても、操作スイッチ６５に水が掛からないようになっていて、電気部品である操作スイッチ６５に不具合が生じず、信頼性を確保できるようになっている。
【００４８】
（動作）
次に、この実施の形態１に係る食器洗浄機１により食器類を洗浄及び乾燥する場合の動作について説明する。
まず、図２に示す電源スイッチをＯＮする。次に、手掛け部６１に手を掛けるようにして操作レバー６２を手で上方（第２方向）へ押すように回動させると、操作スイッチ６５がＯＦＦとなって、制御装置９が洗浄槽３を自動で押し出すように指示を出す。
【００４９】
それにより洗浄槽３は、スライド装置２０によって保持機構１８の保持を解除する位置まで電動で押し出されるので、あとは食器類９１を収納できる位置まで、使用者が軽い力で洗浄槽３を引き出すことができる。
【００５０】
続いて、洗浄槽３の上面開口部から、洗浄槽３内に収容された食器かご６に洗浄、乾燥したい食器類９１を食器かご６に収納し、洗浄槽３内に適量の洗剤（図示せず）を入れ、洗浄槽３を筐体２内に押し込んでドア部５を閉じる。これにより、洗浄槽３は保持機構１８により、ドア部５を閉じた位置で保持される。
【００５１】
次に、操作部７に設けられた運転スイッチ８を押し、機器の動作を開始させる。なお、動作については制御装置９が司り、その命令により各機能部品を動作させ、洗浄工程、すすぎ工程、加熱すすぎ工程、乾燥工程の順に進行させていくものである。
【００５２】
洗浄工程が開始されるとまず、給水弁１０が開き、洗浄槽３内へ洗浄用水道水の給水が行われる。このとき、洗浄槽３内の水位は、水位検知装置１１にて検知されており、所定の水位に達したことが検知されると、制御装置９は給水弁１０を閉じるように信号を送信する。
【００５３】
次に、湯沸かしヒーター１２に通電し、貯留された水道水に洗剤を混入させた洗浄水を加熱すると共に、加圧ポンプ１３に通電し、その洗浄水に圧力を与え、噴射ノズル１４を利用し食器類９１に洗浄水を噴射する。噴射ノズル１４は、その噴射する水の反力で回転し、回転しながら食器類９１に万遍なく噴射され、食器類９１を洗浄していく。
【００５４】
洗浄は貯留された洗浄水を循環しながら行うもので、洗浄槽３底部へ落下した洗浄水を集め、再び加圧ポンプ１３にて圧力を与え、噴射ノズル１４を利用し食器類９１に洗浄水を噴射することを繰り返すものである。なお、洗浄槽３の上面開口部はふた体４により閉塞されているので、洗浄水が洗浄槽３の外部に飛散することはない。
【００５５】
また、洗浄は湯沸かしヒーター１２により洗浄水を加熱しながら行うものであり、その洗浄水の温度は、洗剤に含まれる酵素の能力を最大限に発揮できる温度にするのが通常で、概ね６０℃程度に設定される。洗浄水温は、水温検知装置１７にて監視されており、所定の温度に達したことを検知すると、湯沸かしヒーター１２の通電を停止する。
【００５６】
洗浄工程が開始され、所定の時間が経過すると、湯沸かしヒーター１２、加圧ポンプ１３の通電を停止すると共に、排水ポンプ１６に通電し、洗浄槽３内に貯えられた洗浄水を外部に排水する。排水が完了すると排水ポンプ１６への通電を停止し、これにより、洗浄工程が終了する。
【００５７】
洗浄工程が終了すると、続いてすすぎ工程が開始されるが、基本的な動作はほぼ洗浄工程と同様で、まず、給水弁１０を開き、洗浄槽３内へすすぎ用水道水の給水を行い、水位検知装置１１にて所定の水位に達したことを検知し、給水弁１０を閉じる。
【００５８】
次に、加圧ポンプ１３を稼働させて、すすぎ水は、圧力を与えられて、噴射ノズル１４から噴射される。その噴射されたすすぎ水は食器類９１に噴きかけられ、食器類９１に残った洗浄水や微細な汚れをすすぐ。
【００５９】
そして、所定の時間が経過すると、加圧ポンプ１３の通電を停止すると共に、排水ポンプ１６を稼働して、洗浄槽３内に貯留されているすすぎ水を外部に排水する。このようなすすぎ工程は、数回繰り返される。なお、このすすぎ工程では湯沸かしヒーター１２によるすすぎ水の加温はされない。
【００６０】
次に、加熱すすぎ工程が開始されるが、基本的な動作は洗浄工程あるいはすすぎ工程と同様であり、上述したすすぎ工程に、湯沸かしヒーター１２によるすすぎ水が加温されている点だけが異なる。
【００６１】
なお、そのすすぎ水の温度は、洗浄の最後を仕上げる意味と、食器類９１の温度を上げて乾燥性能を高めるために、洗浄水の温度よりも高い温度にするのが通常であり、概ね７０℃以上（Ｏ−１５７対策では７５℃以上）に設定される。
【００６２】
洗浄及びすすぎ工程が完了すると、最後の工程である乾燥工程が開始される。まず、乾燥用送風機２２に通電し、洗浄槽３内に外気を導入するとともに、乾燥用ヒーター２３に通電して加熱され温風となって、洗浄槽３内に送られて食器類９１及び洗浄槽３内を乾燥し、これらを乾燥した温風は図示しない洗浄槽３の排気口から、図示しない排気ダクトを経由して図２に示すドア部排気口５ａから外部へ排出される。
【００６３】
乾燥工程で所定の時間が経過すると、乾燥用送風機２２及び乾燥用ヒーター２３への通電が停止され、乾燥工程が終了する。これにより、全ての工程が完了する。なお、これら一連の工程は、制御部９の図示しないマイクロコンピュータに設定されたプログラムにしたがって、自動的に行われる。
【００６４】
全ての工程が完了すると、使用者が食器類９１を取り出す作業を行う。食器類９１を収納するときと同様に、手掛け部６１に手を掛けるようにして操作レバー６２を手で上方（第２方向）へ押すように回動させると、操作スイッチ６５がＯＦＦとなって、制御装置９が洗浄槽３を前方に押し出すように指示を出す。
【００６５】
食器類９１が入った状態で、洗浄槽３を引き出すには保持機構１８の保持力を解除するのに４０Ｎの力が必要で、さらに洗浄槽３と洗浄槽３に収納された食器類９１等を引き出す力１０Ｎの力が必要となり、合計５０Ｎの力が必要となる。
【００６６】
しかし、前述の操作により、洗浄槽３は保持機構１８の保持力を解除する位置まで電動で前方に押し出されるので、使用者が食器類９１等を収納した洗浄槽３を引き出すために要する力は１０Ｎで済むことになり、使用者の負担が軽減されることになる。
【００６７】
以上のように本発明の実施の形態１の食器洗浄機によれば、使用者が食器類を取り出すときに、洗浄槽を引き出す作業で最も負担となる洗浄槽の保持機構の解除を、保持機構が解除される位置まで洗浄槽を電動で前方に押し出すようにしたので、使用者の負担を軽減でき、それ以降の洗浄槽の引き出しは使用者が自在にできるため、食器洗浄機の使い勝手を向上させることができる。
【００６８】
また、スライド装置の動作は、洗浄槽の保持機構が解除される位置までとしたので、ラックギアが短くて済むことから、長いラックギアに較べて破損の発生が抑制できるため、食器洗浄機の信頼性を向上させることができる。
【００６９】
さらに、制御装置が洗浄槽を電動で前方に押し出す指示をだすためのトリガーとなる操作スイッチは、ＯＦＦとなったときに洗浄槽を電動で前方に押し出すように指示を出すようになっているので、必要以上に強い力で操作レバーを握られるようなことがあっても、操作スイッチに不要に高い力が加わらないようになっており、操作スイッチの故障を抑制することができ、食器洗浄機の信頼性を向上させることができる。
【００７０】
それから、手掛け部に手を掛けるようにして操作レバーを手で上方（第２方向）へ押すように回動させると、そこに手先を挿入できる空間ができるので、操作から引き出しまでの動作がスムーズにでき、使用者の操作感及び作業性を向上させることができる。
【符号の説明】
【００７１】
１  食器洗浄機、２  筐体、２ａ  筐体背面、３  洗浄槽、３ａ  凹部、４  ふた体、５  ドア部、５ａ  ドア部排気口、６  食器かご、７  操作部、８ａ  電源スイッチ、８ｂ  運転スイッチ、９  制御装置、１０  給水弁、１１  水位検知装置、１２  湯沸かしヒーター、１３  加圧ポンプ、１３ａ  配管、１４  噴射ノズル、１５  操作パネル、１５ａ  外部排気口、１６  排水ポンプ、１６ａ  配管、１７  水温検知装置、１８  保持機構、１９  バネ、２０  スライド装置、２１  固定レール、２２  乾燥用送風機、２３  乾燥用ヒーター、５１  モーター、５２  ピニオンギア、５３  スライドシャフト、５３ａ  ラックギア部、５３ｂ  先端部、６１  手掛け部、６１ａ  手掛け部先端、６２  操作レバー、６２ａ  下面、６２ｂ  レバー先端部、６３  回転軸、６４  空間、６５  操作スイッチ、６６  水侵入防止板、６７  バネ、６８  スイッチ板、７０  凹状の空間、７１  側壁、７２  側壁、７３  上面内側、９１  食器類。
【図１】
2015128514.tif 000003
【図２】
2015128514.tif 000004
【図３】
2015128514.tif 000005
【図４】
2015128514.tif 000006
【図５】
2015128514.tif 000007